(57)【特許請求の範囲】
【請求項１】
フレ−ムのほぼ中央に、駆動モータ、駆動プーリ及び絞りプーリを含み駆動プーリを下部に配置するドライブユニットを設け、前記絞りプーリによりベルト裏面を駆動プーリに圧接してベルトを走行させるコンベヤにおいて、
前記駆動プーリの上側方の一方に絞りプーリ、他方に緩め絞りプーリを配置し、前記絞りプーリはドライブユニットの両側板にあけた長孔に挿合した２つのテークアップブロックにより両軸端が載置支持されており、前記緩め絞りプーリの軸は、一端を支点として当該緩め絞りプーリ軸を帰りベルトの繰り出し側の平面内に所定角度旋回可能に支持し、他端を側板に対し取外し自在に掛止めることができるキャッチクリップで係止してなり、
ベルト外し時に、前記緩め絞りプーリ軸の係止側キャッチクリップを解除したのち、一方の軸端を中心に帰り側ベルト下部の水平面内に旋回させてベルトを弛ませることによりベルト外しを可能にしたことを特徴とするベルトコンベヤ。
【請求項２】
前記緩め絞りプーリは、当該緩め絞りプーリ軸の一端をドライブユニットの一方の側板に設けたロッドエンドベアリングまたはボールジョイントで支持したことを特徴とする請求項１に記載のベルトコンベヤ。
【請求項３】
前記緩め絞りプーリは、該緩め絞りプーリ軸の一端にドライブユニットの一方の側板に垂直に延びる端部材を設け、該端部材に前記緩め絞りプーリ軸を帰りベルトの繰り出し側の水平面内に回動自在に支持する軸受け部材をドライブユニットの一方の側板に取り付けたことを特徴とする請求項１に記載のベルトコンベヤ。
【請求項４】
前記緩め絞りプーリは、当該緩め絞りプーリ軸の一端にドライブユニットの一方の側板に垂直に延びる端部材を設けると共に、ドライブユニットの一方の側板と端部材との間に、前記端部材側を支点として前記緩め絞りプーリ軸を帰りベルトの繰り出し側の水平面内に所定角度旋回可能に支持する丁番を取り付けたことを特徴とする請求項１に記載のベルトコンベヤ。
【請求項５】
前記緩め絞りプーリの他方の側板にユ字形溝又はバヨネットジョイント溝を形成し、ユ字形溝に軸を挿通したうえ軸端をキャッチクリップで係止していることを特徴とする請求項１に記載のベルトコンベヤ。
【発明の詳細な説明】
【０００１】
【発明の属する技術分野】
本発明は、小形サイズのベルトコンベヤに関するもので、特にベルト裏面摩擦駆動方式によるコンベヤベルトの掛け外しを容易にしたコンベヤに関するものである。
【０００２】
【従来の技術】
通常のベルトコンベヤは、エンドレスベルト裏面に駆動プーリを接触させ、テンションローラによりベルトに張力を与えて駆動しているので、ベルトの交換や洗浄時には駆動部の支持機構を分解しないとベルトを取外すことができない。このため、ベルト表面に駆動プーリを接触させてベルト外しを容易にすることが知られている。例えば、実開平３−５３９１６号公報では、フレーム下部の駆動プーリとテンションプーリとを設け、ベルト表面を駆動プーリに接触させ、かつ駆動プーリとテンションプーリとの間にベルトをＳ字状にかけてベルトを駆動するようにしている。
また、特開２０００−２１１７２３号では、コンベヤ本体のエンドローラとヘッドローラとの間にベルトをかけ、コンベヤ本体の中間部に駆動ローラを設けると共に、駆動ローラの下面側外周にベルトをかけ、駆動ローラの上側前後に駆動ローラ側のベルトに向け回動付勢されたスナブローラ支持体を配置し、使用時にはスナブローラによりベルトを絞って駆動ローラに圧接させ、ベルト外し時にはスナブローラ支持体をコンベヤ本体から離脱させるようにしたものを開示している。
【０００３】
【発明が解決しようとする課題】
しかしながら、前記したように、駆動ローラ側のベルトに向け回動付勢されたスナブローラ支持体を配置し、ベルト外し時にスナブローラ支持体をコンベヤ本体から離脱させるようにすると、ベルト外し作業が複雑となり、ベルト張力下での作業の安全も確保されない。
本発明の目的は、ベルト裏面駆動方式によるコンベヤベルトの掛け外しを容易にしたコンベヤを提供するものである。
【０００４】
【課題を解決するための手段】
上記目的を達成するため、本発明の請求項１に記載の発明は、フレ−ムのほぼ中央に、駆動モータ、駆動プーリ及び絞りプーリを含み駆動プーリを下部に配置するドライブユニットを設け、前記絞りプーリによりベルト裏面を駆動プーリに圧接してベルトを走行させるコンベヤにおいて、前記駆動プーリの上側方の一方に絞りプーリ、他方に緩め絞りプーリを配置し、前記絞りプーリはドライブユニットの両側板にあけた長孔に挿合した２つのテークアップブロックにより両軸端が載置支持されており、前記緩め絞りプーリの軸は、一端を支点として当該緩め絞りプーリ軸を帰りベルトの繰り出し側の平面内に所定角度旋回可能に支持し、他端を側板に対し取外し自在に掛止めることができるキャッチクリップで係止してなり、ベルト外し時に、前記緩め絞りプーリ軸の係止側キャッチクリップを解除したのち、一方の軸端を中心に帰り側ベルト下部の水平面内に旋回させてベルトを弛ませることによりベルト外しを可能にしたことを特徴とするベルトコンベヤである。
【０００５】
請求項２は、前記緩め絞りプーリは、当該緩め絞りプーリ軸の一端をドライブユニットの一方の側板に設けたロッドエンドベアリングまたはボールジョイントで支持したことを特徴とする請求項１に記載のベルトコンベヤである。請求項３は、前記緩め絞りプーリは、該緩め絞りプーリ軸の一端にドライブユニットの一方の側板に垂直に延びる端部材を設け、該端部材に前記緩め絞りプーリ軸を帰りベルトの繰り出し側の水平面内に回動自在に支持する軸受け部材をドライブユニットの一方の側板に取り付けたことを特徴とする請求項１に記載のベルトコンベヤである。
【０００６】
請求項４は、前記緩め絞りプーリは、当該緩め絞りプーリ軸の一端にドライブユニットの一方の側板に垂直に延びる端部材を設けると共に、ドライブユニットの一方の側板と端部材との間に、前記端部材側を支点として前記緩め絞りプーリ軸を帰りベルトの繰り出し側の水平面内に所定角度旋回可能に支持する丁番を取り付けたことを特徴とする請求項１に記載のベルトコンベヤである。請求項５は、前記緩め絞りプーリの他方の側板にユ字形溝又はバヨネットジョイント溝を形成し、ユ字形溝に軸を挿通したうえ軸端をキャッチクリップで係止していることを特徴とする請求項１に記載のベルトコンベヤである。
【０００７】
【発明の実施の形態】
図１は本発明の実施形態を示すベルトコンベヤの正面図、図２は図１の平面図、図３は図１の背面図である。
このコンベヤは、コンベヤフレーム１のほぼ中央に駆動モータ１０、駆動プーリ１１及び絞りプーリを含むドライブユニット６を設け、駆動プーリ１１をコンベヤベルト５の裏面に圧接してベルトを走行させる。また、コンベヤフレーム１を脚ユニット４により片持ち支持すると共に、駆動モータ１０をフレーム上方に延びる片持ち側板８に支持してベルト外しを可能にしたものである。
駆動プーリ１１の一方、すなわち帰り側ベルトの上流側に絞りプーリ１７、他方に緩め絞りプーリ１８を配置する。緩め絞りプーリ１８の軸１９は、図５〜図９について後述するように、一方の軸端１９ａを支点として当該緩め絞りプーリ１８を帰り側ベルト５ｂの繰り出し側の下部平面内に所定角度旋回可能に支持し、他方の軸端１９ｂを側板９に対し取外し自在に掛止めている。
脚ユニット４は側面から見てコ字形をなし(図４)、上辺ａをコンベヤフレーム（以下単にフレームという）１に固着し、下辺ｂに数個のアジャスタフット１５を設けて据え付ける。図示例は、１個の脚ユニットで全体を片持ち支持させる場合を示したが、２個またはそれ以上の脚ユニットを使用してもよい。なお、図中、符号２はヘッドプーリ、３はテールプーリ、５ａは往き側ベルト、５ｂは帰り側ベルトである。
【０００８】
フレーム１の一方の側面に取付けベース２３を固着し、ブラケット２４，２４を介してフレームの上方に延びる片持ち側板８を取り付ける。片持ち側板８の上部分に駆動モータ１０を横置きする一方、片持ち側板８の取付けベース２３と、取付けベース２３と対向する側板９の内壁に軸受７、７を設けて駆動プーリ１１を横架する。また、モータ出力軸に固着したスプロケット２１と、駆動プーリ１１の軸に固着したスプロケット２２との間にチェーン２０をかけて駆動ユニットを構成させる（図１及び５）。
駆動モータ１０はモータカバー１３が施され、チェーン２０における片持ち側板８の上部分にはチェーンカバー１４が取り付けられている。図５中、符号２６はドライブユニット６の底板、１６は底板等取付け用のスーパーノブである。
なお、図示態様は、脚ユニット４により片持ち支持されたフレーム１のほぼ中央に駆動モータ、駆動プーリ及び絞りプーリを含むドライブユニット６を設けると共に、駆動モータ１０をフレーム上部に延びる片持ち側板に支持したものを示したが、これに限定されず、フレーム１を脚ユニット４により両サイド支持に変えたり、駆動モータ１０をフレーム下部に設けたりしてもよい。
【０００９】
図６は絞りプーリ及び緩め絞りプーリ取付部の拡大側面図、図７は絞りプーリ取付部の拡大側面図、図８は図７の平面図、図９はキャッチクリップ取付部の拡大正面図である。
絞りプーリ１７は、側板８、９にあけた長孔に挿合したテークアップブロック２７に軸端が支持されており、テークアップガイド２８の進退でベルト絞りの程度を調節する。弛め絞りプーリ１８は、その軸１９上にプーリを回動自在に支持したもので、一方の側板８にー方の軸端１９ａをロッドエンドベアリングまたはボールジョイント３０で支持し、他方の側板９に挿通した他方の軸端１９ｂにキャッチクリップ３５を配置して、軸端１９ｂを側板９に対し取外し自在に掛止めている。前記ロッドエンドベアリングまたはボールジョイント３０は、ロッドエンドベアリング取付材３１と押さえ材３２で保持されている（図６）。
キャッチクリップ３５は、蓋、扉等の開閉用に使用されるものと同じく、キャッチクリップ取付材３６と、キャッチクリップ金具取付材３７と、レバー３８と、スプリング錠３８ａと、フック３９とから構成されており、キャッチクリップ取付材３６を側板９にボルト締めし、キャッチクリップ金具取付材３６を側板９にボルト締めし、キャッチクリップ金具取付材３７を軸端１９ｂに固着してある。なお、図９はスプリング錠３８ａの先端がフック３９に係止されていてキャッチクリップ３５がロック状態であることを示しており、スプリング錠３８ａのフック３９への係合を外すことによりアンロック状態になる。
【００１０】
平常運転時には、絞りプーリによって所定のベルト張力を付与しておき、モータ起動で駆動プーリによるベルト裏面への摩擦駆動でベルトを走行させる。
緩め絞りプーリ１８の軸１９は、ベルト走行運転中はキャッチクリップ３５で係止されて絞りプーリ１７と共働してベルトに一定の張力を付与するようになっている。
ベルト外し時には、プーリ軸１９の他端１９ｂは側板９に対し掛け外し自在に掛止めているので、キャッチクリップを開錠したうえ、図８の平面図に示すように、軸端１９ａを支点として当該緩め絞りプーリ１８を帰り側ベルト５ｂの繰り出し側の下部平面内に所定角度旋回させることによりベルトを緩めて外すことができる。
【００１１】
図１０は緩め絞りプーリ取付部の第２実施態様を示す拡大正面図、図１１は図１０の側面図、図１２は図１０の平面図、図１３は図１１の右側面図である。
この例の緩め絞りプーリ１８の軸１９の一端に、垂直に延びる端部材４０を設け、一方の側板取付けベース２３に端部材４０を回転自在に支持する軸受け部材４１を設けている。緩め絞りプーリ軸１９の他端は前同様、キャッチクリップで係止している。
この実施態様においても、ベルト外し時に、緩め絞りプーリ軸の係止側を解除したのち、一方の軸端を中心に帰り側ベルトの下部水平面内に旋回させてベルトを弛ませることによりベルト外しが可能になる。
【００１２】
図１４は緩め絞りプーリ取付部の第３の実施態様を示す拡大正面図、図１５は図１４の側面図、図１６は図１４の平面図である。
この例は、緩め絞りプーリ軸の一端１９ａに端部材４２を設け、他端にキャッチクリップの取付け材３７を設ける。端部材４２と側板取付ベース２３との間に、緩め絞りプーリ軸１９が、端部材４２を支点として帰りベルト５ｂの繰り出し側の平面内に所定角度旋回可能となるように支持する丁番４３を取り付ける。
この実施態様においても、ベルト外し時に、キャッチクリップの係合を解いて緩め絞りプーリ軸１９の係止側を解除したのち、一方の軸端の丁番ピン４３を中心に、緩め絞りプーリを帰り側ベルトの下部の水平面内に旋回させてベルトを弛ませることによりベルト外しが可能になる。
【００１３】
図１７は緩め絞りプーリ取付部の第４の実施態様を示す拡大平面図、図１８は図１７の側面図、図１９は図１７のキャッチクリップを取外した状態の側面図である。
緩め絞りプーリ１８の他方の側板にユ字形溝またはバヨネットジョイント溝４４を形成し、軸１９の一端をユ字形溝４４に挿通したうえ他端をキャッチクリップ３５で係止している。
ベルト外しのときベルト張力によってロッドエンドベアリング等で支持された緩め絞りプーリの掛け止めを解除すると、プーリの軸がロッドエンドベアリングを中心として急激に反転し、作業者の手指などにあたって損傷させることがある。これを防ぐため、側板に形成させたユ字形溝に軸端を挿入して軸端の反転を制止する。側板にユ字形溝またはバヨネットジョイント溝を形成させて、緩め絞りプーリの回動軸端を前述の各実施態様に適用してもよい。
【００１４】
【発明の効果】
以上のように本発明は、フレームのほぼ中央に駆動モータ、駆動プーリを含むドライブユニットを設け、駆動プーリの一方に絞りプーリ、他方に緩め絞りプーリを配置しベルト裏面を駆動プーリに圧接すると共に、緩め絞りプーリの軸は、一端を支点として当該緩め絞りプーリを帰りベルトの繰り出し側に所定角度旋回可能に支持し、他端を側板に対し取外し自在に掛け止めてあるので、ベルト外し時に、緩め絞りプーリ軸の係止側
を解除したのち、一方の緩め絞りプーリ軸端を中心に帰り側ベルト下部の水平面内に旋回させてベルトを弛ませることによりベルト外しを安全かつ容易に行うことができる。
【００１５】
【図面の簡単な説明】
【図１】  本発明の実施形態を示すベルトコンベヤの正面図。
【図２】  図１の平面図。
【図３】  図１の背面図。
【図４】  図１のＡ−Ａ線における断面図。
【図５】  図１のＢ−Ｂ線における断面図。
【図６】  緩め絞りプーリ取付部の第１一実施態様を示す拡大正面図。
【図７】  絞りプーリ取付部の拡大側面図。
【図８】  図７の平面図。
【図９】  キャッチクリップ取付け部の拡大正面図。
【図１０】  緩め絞りプーリ取付部の第２実施態様を示す拡大正面図。
【図１１】  図１０の側面図。
【図１２】  図１０の平面図。
【図１３】  図１１の右側面図。
【図１４】  緩め絞りプーリ取付部の第３実施態様を示す拡大正面図。
【図１５】  図１４の側面図。
【図１６】  図１４の平面図。
【図１７】  緩め絞りプーリ取付部の第４実施態様を示す拡大正面図。
【図１８】  図１７の側面図。
【図１９】  図１８のキャッチクリップを取外した状態の側面図。
【符号の説明】
１  コンベヤフレーム（フレーム）        ２  ヘッドプーリ
３  テールプーリ                        ４  脚ユニット
５  エンドレスベルト                    ５ａ  往き側ベルト
５ｂ  帰り側ベルト                      ６  ドライブユニット
７  軸受                                ８、９  側板
１０  モータ                            １１  駆動プーリ
１２  軸受                              １３  モータカバー
１４  チェーンカバー                    １５  アジャスタフット
１６  スーパーノブ                      １７  絞りプーリ
１８  緩め絞りプーリ                    １９  緩め絞りプーリ軸
２０  チェーン                          ２１  モータ側スプロケット
２２  プーリ側スプロケット              ２３  側板取付ベース
２４  ブラケット                        ２５  端板
２７  テークアップブロック              ２８  テークアップガイド
３０  ロッドエンドベアリング            ３２  ロッドエンドベアリング取付材
３３  押え材                            ３５  キャッチクリップ
３６  キャッチクリップ取付材            ３７  キャッチクリップ金具取付材
３８  レバー                            ３８ａ  スプリング錠
３９  フック                            ４０、４２  端部材
４１  軸受け部材                        ４３  丁番
４４  ユ字溝
【図１】
0004219117.tif 000002
【図２】
0004219117.tif 000003
【図３】
0004219117.tif 000004
【図４】
0004219117.tif 000005
【図５】
0004219117.tif 000006
【図６】
0004219117.tif 000007
【図７】
0004219117.tif 000008
【図８】
0004219117.tif 000009
【図９】
0004219117.tif 000010
【図１０】
0004219117.tif 000011
【図１１】
0004219117.tif 000012
【図１２】
0004219117.tif 000013
【図１３】
0004219117.tif 000014
【図１４】
0004219117.tif 000015
【図１５】
0004219117.tif 000016
【図１６】
0004219117.tif 000017
【図１７】
0004219117.tif 000018
【図１８】
0004219117.tif 000019
【図１９】
0004219117.tif 000020